(57)【要約】【課題】薄くて防寒できると共に持ち運びが簡単であり、寝袋の中に用いても、移動を防止でき安定して使用できる袋状部材を提供する。【解決手段】寝袋１で使用者Ｎの下半身を覆うことが可能である矩形状の袋状部材２０であって、袋状部材２０の上縁には、使用者Ｎの両足Ｋを挿入可能な挿入開口部２１が設けられ、袋状部材２０の左右両側縁には、それぞれ寝袋１の内面に係合可能な係合部２２が設けられている。【選択図】図２
2016083109.tif 000002
【特許請求の範囲】
【請求項１】
寝袋で寝る使用者の下半身を覆うことが可能である矩形状の袋状部材であって、
該袋状部材において上記使用者の該下半身の上部に位置する上縁には、上記使用者の両足を挿入可能な挿入開口部が設けられ、
該袋状部材において上記寝袋の幅方向に対応する左右方向の両側縁には、それぞれ該寝袋の内面に係合可能な係合部が設けられていることを特徴とする寝袋用の袋状部材。
【請求項２】
請求項１において、
上記袋状部材において、上記袋状部材に挿入される両足を覆う少なくとも表面側には、左右方向に弾力性を備える弾性部材が設けられ、該弾性部材により該表面側の左右方向の距離が弾力的に拡大・縮小できるようになっていることを特徴とする寝袋用の袋状部材。
【請求項３】
請求項１又は２において、
該袋状部材の下縁には、上記下縁を開閉して、該下縁から両足を出すことができる開閉機構が設けられていることを特徴とする寝袋用の袋状部材。
【請求項４】
請求項３において、
上記開閉機構は、上記袋状部材の表面側に位置する第１係止部と、上記袋状部材の裏面側に位置する第２係止部とを備え、
上記第１係止部を他の袋状部材の裏面側の第２係止部と、また上記第２係止部を上記他の袋状部材の表面側の第１係止部とそれぞれ係止することで、上記袋状部材と上記他の袋状部材とを連結可能であることを特徴とする寝袋用の袋状部材。
【請求項５】
請求項１ないし４のいずれか１つにおいて、
上記袋状部材が、起毛繊維であるフリースからなることを特徴とする寝袋用の袋状部材。
【請求項６】
請求項１ないし５のいずれか１つの袋状部材を備え、
上記袋状部材の係合部に係合可能な被係合部が内表面に設けられたことを特徴とする寝袋。
【請求項７】
請求項６において、
表面部と裏面部とを備え、該表面部に、上記寝袋に寝た使用者の両手を出入可能な手用開口部が設けられたことを特徴とする寝袋。
【請求項８】
請求項６において、
表面部と裏面部とを備え、該表面部には、左右幅方向中央に、上縁から下縁まで上下方向に延びかつ上下縁の両方から開閉可能な上下用ファスナーが設けられていることを特徴とする寝袋。
【請求項９】
請求項８において、
該表面部と該裏面部との下縁には、上記上下用ファスナーの下端部からそれぞれ左右幅方向に延びる左右用ファスナーが設けられていることを特徴とする寝袋。
【発明の詳細な説明】
【技術分野】
【０００１】
本発明は、寝袋用の袋状部材及びこの袋状部材を備えた寝袋に関し、特に、使用者の下半身の寒さを防ぐために有効な寝袋用の袋状部材及び寝袋に関するものである。
【背景技術】
【０００２】
一般的に、寝袋は、主にテントやキャンピングカー等のアウトドアで使用者の寒さを防ぐための寝具として利用されている。そのために、寝袋自体は断熱性や保温性に優れた素材で形成されている。例えば、特許文献１では、外面シートと内面シートとの間に保温性を有する中綿を介在させた寝袋であって、この中綿としてポリエステル繊維のからなるキルティング生地を使用することが開示されている。
【０００３】
また、寝袋だけでは充分に寒さを防止できない場合のためとして、別途クッションマットなども使用されている。例えば、特許文献２では、寝袋の地面に接する裏面（下面）に、エアマットやウレタンマットのクッションマットを収納するポケットを設け、このポケットにクッションマットを収納して寒さを防ぐことが開示されている。
【先行技術文献】
【特許文献】
【０００４】
【特許文献１】特開平１０−５１０１号公報
【特許文献２】実用新案第２５６７３９７号公報
【発明の概要】
【発明が解決しようとする課題】
【０００５】
特許文献１の技術では、極寒地などにおいては、寝袋だけでは十分に寒さを防止できなくて、更に防寒を必要とされる場合に、寒さ対策が不十分である。特に、下半身特に足元が寒いと良く眠れないと言う不具合を解決することが困難である。
【０００６】
特許文献２の技術では、寝袋以外に、別途クッションマットなどを準備して、持ち運ぶことが必要であり、準備、持ち運びが大変であった。
【０００７】
また、この他、毛布などの防寒部材を単に寝袋の中で使用することも考えられるが、この場合には、寝相の悪い人や、寝返りをよくする人では、直ぐに防寒部材が移動してしまいその機能を発揮しなくなる不具合があった。
【０００８】
そのために、本発明では、上記不具合に鑑みて、薄くて防寒できると共に持ち運びが簡単であり、寝袋の中に用いても、移動を防止でき安定して使用できる袋状部材を提供することを目的とする。
【課題を解決するための手段】
【０００９】
上記の目的を達成するために、この発明では、寝袋に使用者が下半身を挿入して、寒さを防ぐ袋状部材を、寝袋に係合できるようにして、袋状部材の移動を防止するようにした。
【００１０】
具体的には、第１の発明は、寝袋で寝る使用者の下半身を覆うことが可能である矩形状の袋状部材であって、該袋状部材において上記使用者の該下半身の上部に位置する上縁には、上記使用者の両足を挿入可能な挿入開口部が設けられ、該袋状部材において上記寝袋の幅方向に対応する左右方向の両側縁には、それぞれ該寝袋の内面に係合可能な係合部が設けられていることを特徴とする。
【００１１】
第２の発明は、第１の発明において、上記袋状部材において、上記袋状部材に挿入される両足を覆う少なくとも表面側には、左右方向に弾力性を備える弾性部材が設けられ、該弾性部材により該表面側の左右方向の距離が弾力的に拡大・縮小できるようになっていることを特徴とする。
【００１２】
第３の発明は、第１又は第２の発明において、該袋状部材の下縁には、上記下縁を開閉して、該下縁から両足を出すことができる開閉機構が設けられていることを特徴とする。
【００１３】
第４の発明は、第３の発明において、上記開閉機構は、上記袋状部材の表面側に位置する第１係止部と、上記袋状部材の裏面側に位置する第２係止部とを備え、上記第１係止部を他の袋状部材の裏面側の第２係止部と、また上記第２係止部を上記他の袋状部材の表面側の第１係止部とそれぞれ係止することで、上記袋状部材と上記他の袋状部材とを連結可能であることを特徴とする。
【００１４】
第５の発明は、第１ないし第４のいずれか１つの発明において、上記袋状部材が、起毛繊維であるフリースからなることを特徴とする。
【００１５】
第６の発明に係る寝袋は、請求項１ないし５のいずれか１つの袋状部材を備え、上記袋状部材の係合部に係合可能な被係合部が内表面に設けられたことを特徴とする。
【００１６】
第７の発明に係る寝袋は、第６の発明において、表面部と裏面部とを備え、該表面部に、上記寝袋に寝た使用者の両手を出入可能な手用開口部が設けられたことを特徴とする。
【００１７】
第８の発明に係る寝袋は、第６の発明において、表面部と裏面部とを備え、該表面部には、左右幅方向中央に、上縁から下縁まで上下方向に延びかつ上下縁の両方から開閉可能な上下用ファスナーが設けられていることを特徴とする。
【００１８】
第９の発明に係る寝袋は、第８の発明において、該表面部と該裏面部との下縁には、上記上下用ファスナーの下端部からそれぞれ左右幅方向に延びる左右用ファスナーが設けられていることを特徴とする。
【発明の効果】
【００１９】
第１の発明によると、袋状部材が、矩形状の防寒材であり、防寒できると共に、この袋状部材を寝袋の中に用いても、移動を防止でき安定して使用でき、下半身の寒さを確実に防止できる。
【００２０】
第２の発明によると、左右方向に弾力性を備える弾性部材が設けられ、挿入される両足間の間隔を狭くすることができるようになっているので、両足の間や両足の外側にスペースができ難くなる。その結果、下半身がくるまれたようになるので、寒さを感じることを効果的に防止できる。
【００２１】
第３の発明によると、袋状部材の下縁が開閉機構で開閉可能になっているので、両足を出すことができる。また、足先よりも、腰部や腹部を冷やさないようにしたい場合には、開閉機構を空けて足先を出して、袋状部材を上側にずらし、腰部や腹部を覆う位置にセットすることも可能である。このように、使用者の多様な要求に対応できる。
【００２２】
第４の発明によると、一方の袋状部材の第１係止部を他の袋状部材の第２係止部と、また一方の袋状部材の第２係止部を他の袋状部材の第１係止部とそれぞれ係止して、一方の袋状部材と他の袋状部材とを連結することも可能である。このようにすれば、下半身だけでなく上半身も覆って、寒さを防止できる。
【００２３】
第５の発明によると、袋状部材がフリースからなるので、軽くて柔軟性があり、その上防寒もできるので、便利に利用できる。
【００２４】
第６の発明によると、袋状部材の係合部を寝袋の被係合部に係合して利用でき、足元の防寒できると共に、寝相の悪い使用者でも袋状部材の移動を防止できるので、下半身の防寒を確実に実現できる。
【００２５】
第７の発明によると、寝袋に寝た使用者の両手を出入可能な手用開口部が、寝袋の表面部に設けられているので、手用開口部から手を出して、自由に動かすことができる。
【００２６】
第８の発明によると、寝袋の表面部には、左右幅方向中央に、上縁から下縁まで上下方向に延びる上下用ファスナーが設けられているので、上下のどちらからでも開閉でき、利便性が向上する。
【００２７】
第９の発明によると、上下用ファスナーの下端部からそれぞれ左右幅方向に延びる左右用ファスナーが設けられているので、寝袋の表面部を左右に開閉でき、該表面部を簡単に広げることができる。
【図面の簡単な説明】
【００２８】
【図１】図１は、本発明の実施形態１に関わる寝袋の閉じた状態を示す外観平面図である。
【図２】図２（Ａ）は、図１の寝袋を開放した状態の平面図、図２（Ｂ）は、図２（Ａ）の寝袋の中に組み付けられる袋状部材を示す斜視図である。
【図３】図３は、寝袋と袋状部材との係合状態を説明する部分拡大図である。
【図４】図４は、寝袋に袋状部材を配置して、寝袋の下縁側の一部を開いた状態を示す斜視図である。
【図５】図５は、実施形態１の寝袋の上下防寒部材、右用防寒部材及び左用防寒部材の折り畳み状態を説明する部分斜視図である。
【図６】図６は、実施形態２に関わり、袋状部材の斜視図である。
【図７】図７は、実施形態３に関わり、袋状部材の斜視図である。
【図８】図８は、実施形態４に関わり、図８（Ａ）は寝袋を開放した状態の平面図、図８（Ｂ）は袋状部材の斜視図である。
【図９】図９は、実施形態４の袋状部材の使用例を示す平面図である。
【図１０】図１０は、実施形態１の変形例を示す拡大部分図である。
【発明を実施するための形態】
【００２９】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３０】
（実施形態１）
本発明の実施形態１では、図２において、紙面の左右方向を寝袋１及び袋状部材２０の左右方向、紙面の上下方向を寝袋１及び袋状部材２０の上下方向とする。寝袋１及び袋状部材２０の左右方向の端を側縁、上下方向の端を、それぞれ上縁及び下縁と称す。
【００３１】
図１ないし図４に基づいて、実施形態１を説明する。図１に示すように、寝袋１は、封筒状からなり、一般的に知られているように、綿、ポリエステル、ナイロン等からなる２枚の布地の間に羽毛や綿等の保温材が封入されて構成されている。図２（Ａ）は、寝袋１の上下用ファスナー８と左右用ファスナー９を全開して、右側表面部５と左側表面部６を両外側に開いた状態を示す。図２（Ｂ）は、図２（Ａ）の寝袋に用いる袋状部材２０を図示する。図２（Ａ）では、寝袋１に、袋状部材２０の使用状態の例を二点鎖線で示す。
【００３２】
図１及び図２に示すように、寝袋１は、その中で使用者Ｎがその上に横たわる裏面部３と、使用者Ｎを覆って延在する表面部４とを備える。表面部４は、左右方向に二分されて、右側表面部５及び左側表面部６からなる。右側表面部５の右側縁部５ａが、裏面部３の右側縁部３ａに一体に縫製され、左側表面部６の左側縁部６ａが、裏面部３の左側縁部３ｂに一体に縫製されている。
【００３３】
右側表面部５の中央縁部５ｂ及び左側表面部６の中央縁部６ｂが合わされて、上下用ファスナー８で開閉可能になっている。上下用ファスナー８は、上下どちらからでも開閉できるように上側スライダ８ａ及び下側スライダ８ｂからなり、利便性を向上できるようになっている。表面部４の下縁部は、それぞれ、裏面部３の下縁部３ｃと合わされて、左右用ファスナー９で開閉可能になっている。左右用ファスナー９は、右側ファスナー１０及び左側ファスナー１１からなり、それぞれスライダ１０ａ，１１ａで開閉できるようになっている。また、表面部４の右側表面部５及び左側表面部６には、それぞれ、使用者Ｎの両手Ｈ，Ｈを出し入れする手用開口部７が設けられている。手用開口部７は、手用ファスナー１２で開閉可能になっている。表面部４の上下用ファスナー８を閉じた状態でも、手用開口部７から手Ｈを出して、自由に動かすことができる。
【００３４】
図２及び図３に示すように、寝袋１の内面には、後述する袋状部材２０の係合部２２が係合・離脱できる被係合部２が設けられている。被係合部２は、右側表面部５の右側縁部５ａと裏面部３の右側縁部３ａとの境界部分と、左側表面部６の左側縁部６ａと裏面部３の左側縁部３ｂとの境界部分に縫い付けたループ状の紐からなり、それぞれ上下方向に２カ所ずつ設けられている。
【００３５】
図２（Ｂ）に示すように、袋状部材２０は、フリースからなる矩形状の袋形状であって、その左右両縁側及び下縁側が閉じられ、上縁側が開放された略矩形状の袋体からなる。袋状部材２０は、毛布のように厚く起毛した布地で、柔らかい起毛仕上げの繊維素材であればよく、フリースに限られない。なお、フリースが、軽くて寒さを防ぐのに好適である。なお、フリースは、最近ではほとんどポリエステルからなるが、これに限られるものではない。
【００３６】
袋状部材２０の上縁には、使用者Ｎの両足Ｋ，Ｋを挿入可能な挿入開口部２１が設けられている。挿入開口部２１の上縁周囲には、通し紐２３を通す紐通し部２５が縫製して設けられている。紐通し部２５に通した通し紐２３には、木片からなる絞り部材２４が通してある。この絞り部材２４を中央方向に動かすことで、挿入開口部２１の開口する大きさを狭めることができる。なお、絞り部材２４は、図２において、左側のみに設けたが、両側に設けてもよい。
【００３７】
図２の寝袋１に二点鎖線で示すように、寝袋１で使用者Ｎの下半身Ｎ１を覆うように袋状部材２０に両足Ｋ，Ｋを挿入して、両足Ｋ，Ｋの付け根ぐらいまで履いたようにして使用する。なお、使用者Ｎ（人）の背丈によって、袋状部材２０で下半身のどの深さまで覆い隠せるかは異なるが、太股までは隠せる長さであることが好ましい。この袋状部材２０を履いて寝ることで、下半身Ｎ１、特に足Ｋが冷えることを防止できるようになっている。
【００３８】
袋状部材２０の左右両側縁には、寝袋１の内面に設けた被係合部２に係合可能な係合部２２が設けられている。係合部２２は、袋状部材２０の左右両側縁に縫われた係合紐２２ａと、この係合紐２２ａに取り付けられた木片２２ｂ（トグル）とからなる。寝袋１の被係合部２のループ状の紐内に、係合部２２の木片２２ｂを通して係合することで、寝た使用者Ｎの寝相が悪くても、袋状部材２０が移動することを防ぐことができるようになっている。それによって、確実に下半身Ｎ１を防寒できるようになっている。
【００３９】
図４及び図５に示すように、右側表面部５の中央縁部５ｂ及び左側表面部６の中央縁部６ｂの内側には、それぞれ、上下用ファスナー８のファスナーエレメント８ｃの内面側の位置に、それぞれ上下用噛み込み防止布片１３が縫製されており、上下用ファスナー８に右側表面部５や左側表面部６が噛み込むことを防止するようになっている。右側表面部５の下縁部５ｃと裏面部３の下縁部３ｃの内側には、それぞれ、右側ファスナー１０の内側のファスナーエレメント１０ｃの位置に右用噛み込み防止布片１４が設けられ、右側ファスナー１０に右側表面部５が噛み込むことを防止するようになっている。左側表面部６の下縁部６ｃと裏面部３の下縁部３ｃの内側には、それぞれ、左側ファスナー１１の内側のファスナーエレメント１１ｃの位置に、左用噛み込み防止布片１５が設けられ、左側ファスナー１１に左側表面部６が噛み込むことを防止するようになっている。
【００４０】
図４に示すように、寝袋１には、上下用ファスナー８及び左右用ファスナー９を閉めた時に、上下用ファスナー８、右側ファスナー１０、左側ファスナー１１のそれぞれのファスナーエレメント８ｃ，１０ｃ，１１ｃの隙間から寒気が入り込むのを防止するために、上下防寒部材１６、右用防寒部材１７、左用防寒部材１８が設けられている。上下防寒部材１６は、断面が内部に中綿を挿入した袋状からなり、右側表面部５の中央縁部５ｂに設けられた上下用ファスナー８の両上下用噛み込み防止布片１３の更に内側に、中央縁部５ｂに沿って上下に延びて紐状に設けられている。右用防寒部材１７は、断面が内部に中綿を挿入した袋状からなり、右側表面部５の下端部５ｃに設けられた右側ファスナー１０の両右用噛み込み防止布片１４の更に内側に、中央縁部５ｂに沿って左右に延びて紐状に設けられている。左用防寒部材１８は、断面が内部に中綿を挿入した袋状からなり、左側表面部６の下端部６ｃに設けられた左側ファスナー１１の両左用噛み込み防止布片１５の更に内側に、中央縁部５ｂに沿って左右に延びて紐状に設けられている。上下防寒部材１６、右用防寒部材１７、左用防寒部材１８は、それぞれのファスナー８，１０，１１が閉じられた状態で、接触して合わさる状態になり、通気性を防止するようになっている。なお、図２、図８、図９では、各スライダ８ａ，８ｂ，１０ａ，１１ａ、各噛み込み防止布片１３，１４，１５、各防寒部材１６，１７，１８を省略している。
【００４１】
図４に示すように、右側表面部５の中央縁部５ｂの下端部、右側表面部５の下縁部５ｃの中央縁側、左側表面部６の下縁部６ｃの中央縁側は、それぞれのファスナー８，１０，１１を閉じたときに、スライダ８ｂ，１０ａ，１１ａが、互いに一番接近する状態になるが、互いのスライダ８ｂ，１０ａ，１１ａ同士の間に、構造上でどうしても隙間Ｓが空いてしまう。そのために、この隙間Ｓから寒気が入る或いは内部空気が逃げることとなり、足元が寒くなることがある。この寒さを防止するため、実施形態１では、この隙間Ｓを防寒部材１６，１７，１８の延長部分で埋めるようにしている。即ち、上下防寒部材１６の下端部が右側表面部５の中央縁部５ｂの下端部よりも下方に飛び出て、下方飛出部１６ａとして設けられ、かつ、右用防寒部材１７の中央縁側が右側表面部５の下縁部５ｃの中央縁側よりも、また左用防寒部材１８の中央縁側が左側表面部６の下縁部６ｃの中央縁側よりも、それぞれ反対側に飛び出て右用飛出部１７ａ、左用飛出部１８ａとして設けられている。
【００４２】
これらの下方飛出部１６ａ、右用飛出部１７ａ、左用飛出部１８ａを、例えば図５に示すように折り重ねることで、隙間Ｓを塞ぐことができる。即ち、右用飛出部１７ａと左用飛出部１８ａを重ねて、この重なった部分を更に下方飛出部１６ａで上下に巻くようにする。これによって、隙間Ｓを塞ぐことができ、寒気の入り込み等を防止できる。なお、下方飛出部１６ａ、右用飛出部１７ａ、左用飛出部１８ａの重ね方は、このようにすることに限られるものではなく、使用者Ｎの自由である。なお、下方飛出部１６ａ、右用飛出部１７ａ、左用飛出部１８ａはこれらの３つに限られるものではなく、他の数でもよい。なお、隙間Ｓを塞ぐには、少なくとも下方飛出部１６ａと、右用飛出部１７ａ及び左用飛出部１８ａの少なくとも一方が設けられることが好ましい。下方飛出部１６ａ、右用飛出部１７ａ、左用飛出部１８ａの長さも、隙間Ｓを埋める状態であればよく、適当な長さでよい。
【００４３】
実施形態１では、袋状部材２０の係合部２２を寝袋１の被係合部２に係合して利用でき、足元を防寒できると共に、寝相の悪い使用者Ｎでも袋状部材２０の移動を防止できるので、下半身Ｎ１の防寒を確実に実現できる。
【００４４】
（実施形態２）
実施形態２について、図６に基づいて説明する。なお、実施形態１と異なる部分のみ詳細に説明する。実施形態２が実施形態１と異なるのは、袋状部材である。図６に示すように、袋状部材３０ａの表面側２６には、左右方向に弾力性を備える弾性部材３５が上下方向で例えば３カ所設けられている。この実施形態２の弾性部材３５は、ゴムを一体的に縫製したものである。この構成によって、袋状部材３５に挿入した足Ｋと袋状部材３５との隙間を少なくできるので、足のぬくもりが逃げにくい。また、弾性部材３５は、間隔を広げる方向にも弾性を有するので、挿入した足Ｋを多少動かすことも可能であり、窮屈な感覚も防止できる。なお、弾性部材３５はゴムに限られるものではなく、他の弾性部材でもよい。また、弾性部材３５の本数は、図６に限られるものではなく、１本でも他の本数でもよい。また、左右方向の長さは、同じでなくてもよく、下方になるほど絞られるようにしてもよい。また、表面側２６から裏面側２７まで巻くように袋状部材３０ａの全周に設けてもよい。
【００４５】
（実施形態３）
実施形態３について、図７に基づいて説明する。なお、実施形態１と異なる部分のみ詳細に説明する。実施形態３が実施形態１と異なるのは、袋状部材である。図７に示すように、袋状部材３０ｂの表面側２６の外面に、上下方向に、マジックテープ（登録商標）などの面ファスナー４０の一方の接合面４０ａを設け、この一方の接合面４０ａに合わさって係合する他方の接合面４０ｂを接合面４０ａに対し左右方向に間隔を空けて、平行に設ける。この構造を、裏面側２７の外面にも、別の面ファスナー４０を、他方の接合面４０ｂと一方の接合面４０ａとして並設する。図７において、袋状部材３０ｂの表面側２６の外面の面ファスナー４０の一方の接合面４０ａの真裏に、裏面側２７の外面に別の面ファスナー４０の他方の接合面４０ｂが重なり、袋状部材３０ｂの表面側２６の外面の面ファスナー４０の他方の接合面４０ｂの真裏に、裏面側２７の外面に別の面ファスナー４０の一方の接合面４０ａが重なる位置に設ける。
【００４６】
そして、使用する場合には、例えば、表面側２６外面の面ファスナー４０の一方の接合面４０ａと他方の接合面４０ｂとを合わせて係合することで、袋状部材３０ｂの左右方向の間隔を狭めて、両足Ｋと袋状部材３０ｂとの空間を少なくして、袋状部材３０ｂが両足Ｋを包み込むようにする。この場合に、裏面側２７の面ファスナー４０も同様にして合わせて係合するようにしてもよいし、そうしなくてもよい。
【００４７】
又、別の使用状態として、図７に示す状態から袋状部材３０ｂを裏返して、表面側２６の面ファスナー４０の一方の接合面４０ａと他方の接合面４０ｂが、裏面側２７の面ファスナー４０の一方の接合面４０ａと他方の接合面４０ｂが、袋状部材３０ｂの内側になるようにする。そして、対面する表面側２６の面ファスナー４０の一方の接合面４０ａ及び裏面側２７の他方の接合面４０ｂ同士、対面する表面側２６の他方の接合面４０ｂ及び裏面側２７の一方の接合面４０ｂ同士を合わせて係合する。このことで、足Ｋを挿入する部分が３通りの通路になり、好きな部分に両足Ｋを挿入して、かつ足Ｋの回りが包まれたような状態にできる。なお、面ファスナー４０を合わせて係合して使用しない場合には、面ファスナー４０が直接足Ｋに接触する感触を無くするために、もう一度裏返して面ファスナー４０が袋状部材３０ｂの外側になるようにして使用することが好ましい。
【００４８】
なお、実施形態３では面ファスナーで、袋状部材の左右方向の幅を絞れるようにしたが、これらに限られるものではなく、他の手段でもよい。例えば、表面側２６の外面に靴紐を掛けるフックのようなものを設けて、靴紐を掛ける横領で、狭める方向に袋状部材を絞るようにしてもよい。例えば、面ファスナーでなくて、ファスナー、スナップ、ホック、ボタンなどでもよい。
【００４９】
（実施形態４）
実施形態４について、図８及び図９に基づいて説明する。なお、実施形態１と異なる部分のみ詳細に説明する。実施形態４が実施形態１と異なるのは、袋状部材である。図８（Ｂ）に示すように、袋状部材３１の下縁側には、上記下縁側を開閉して該下縁から両足Ｋを出すことができる開閉機構３３が設けられている。開閉機構３３は、表面側２６の外面に設けられた第１係止部３３ａと、裏面側２７が表面側２６よりも長く延ばされ、その内側に設けられた第２係止部３３ｂとを備えている。この部分を折り返して、第２係止部３３ｂを表面側の第１係止部３３ａと重ねることで、両方が合わせて係合するようになっている。第１係止部３３ａ及び第２係止部３３ｂは、マジックテープのような面ファスナーが有効である。
【００５０】
図８（Ａ）に、上記袋状部材３１の使用例を示す。足先でなく、下半身ではあるが臀部や腰部を防寒したい場合には、図８（Ａ）に示すように、この袋状部材３０ｂを臀部や腰部を覆うようにズリ上げて使用する。このようにすることで、臀部や腰部の寒さを防止できる。また、袋状部材３１を足を覆う位置（図２と同様な位置）にして、開閉機構３３を開けた状態にすること、袋状部材３１を少しだけズリ上げて、単に足先を出すようにして使用することも可能である。
【００５１】
また、別の使用状態として、袋状部材３１の表面側２６に第１係止部３３ａを備え、裏面側２７に第２係止部３３ｂを備える袋状部材３１を２枚用意する。そして、図９に示すように、一方の袋状部材３１の第１係止部３３ａは他方の袋状部材３１の裏面側２７の第２係止部３３ｂと、また一方の袋状部材３１の第２係止部３３ｂは他方の袋状部材３１の表面側２６の第１係止部３３ａとそれぞれ係止することで、袋状部材３１と他の袋状部材３１とを連結して使用することも可能である。このような使用状態とすることで、足先から上半身までを袋状部材３１で包んだ使用状態にすることができる。
【００５２】
（その他の実施形態）
実施形態１の変形例を、図１０に基づいて説明する。寝袋１に設ける被係合部２は、実施形態１では、上下方向に２カ所ずつ設けたが、例えば、上下左右方向に３つずつ設けて、袋状部材２０の高さ位置や幅を調整して使用するようにしてもよい。
【００５３】
なお、開閉機構としてマジックテープ等の面ファスナーを例に示すが、これに限られるものではなく、他の開閉機構でもよく、例えばファスナー、スナップ、ホック、ボタンなどでもよい。
【００５４】
各実施形態の袋状部材の係合部２２と絞り部材２４とを兼用させるようにしてもよい。
【００５５】
各実施形態の袋状部材は、寝袋を収納する袋体としても利用可能であり、収納するように使用してもよい。
【００５６】
また、各実施形態の寝袋２０，３０は、右側表面部５と左側表面部６の中央縁部５ｂ，６ｂとでファスナー８で係合するタイプの構成であったが、他の多くの構成も採用される。例えば、右側表面部５の右端縁部５ａと裏面部３の右側縁部３ａとをファスナーで係合し、このファスナーを右側表面部５、左側表面部６と裏面部３の下縁部５ｃ，６ｃ，３ｃで係合する形状の寝袋であってもよい。さらに、寝袋は、封筒形として示したが、これに限られるものではなく、マミー型、より正方形に近い形状、「ダブル」型など、いかなる形状であってもよい。
【産業上の利用可能性】
【００５７】
本発明は、使用者の下半身の寒さを防ぐために有効な寝袋用の袋状部材及びこの袋状部材を備えた寝袋に、極めて有用である。
【符号の説明】
【００５８】
Ｎ        使用者
Ｎ１      下半身
Ｋ        足
Ｈ        手
１        寝袋
２        被係合部
３        裏面部
３ｃ      下縁部
４        表面部
５        右側表面部
５ａ      右端縁部
５ｂ      中央縁部
５ｃ      下縁部
６        左側表面部
６ａ      左端縁部
６ｂ      中央縁部
６ｃ      下縁部
８        上下用ファスナー
８ａ      上側スライダ
８ｂ      下側スライダ
９        左右ファスナー
１０      右側ファスナー
１１      左側ファスナー
１３      上下用噛み込み防止片
１４      右用噛み込み防止片
１５      左用噛み込み防止片
１６      上下防寒部材
１７      右用防寒部材
１８      左用防寒部材
Ｓ        隙間
２０      袋状部材
２１      挿入開口部
２２      係合部
２３      通し紐
２４      絞り部材
２５      紐通し部
３０ａ    袋状部材
３１      袋状部材
３３      開閉機構
３５      弾性部材
【図１】
2016083109.tif 000003
【図２】
2016083109.tif 000004
【図３】
2016083109.tif 000005
【図４】
2016083109.tif 000006
【図５】
2016083109.tif 000007
【図６】
2016083109.tif 000008
【図７】
2016083109.tif 000009
【図８】
2016083109.tif 000010
【図９】
2016083109.tif 000011
【図１０】
2016083109.tif 000012